(57)【要約】【課題】先に出願した、PCT/JP2008/066053と特願2009−26732の伝達誤差と遊びがゼロの歯車の、実現可能な形体を追加する。【解決手段】歯の形状を円にすると、頂点の噛合いは遊びがゼロになる。１対１の径で、他の角度は、遊びの範囲に正しい伝達角度が在る。同じ噛合いを１周期とし、平面の歯車を微分の積層でヘリカルギアにすると、ピッチ点に位相のずれた噛合いが積層上に存在し、遊びがゼロの部分に歯車の挙動が制限される。1/2周期以上の積層の位相幅のヘリカルギアで伝達誤差と遊びのゼロが可能であり、頂点の噛合いの衝突方向の重複部分を削り、マージン設定する歯車であり、異なる歯数比の歯車では、噛合いの重複部分を削り伝達誤差と遊びをゼロにし、上記歯車を球面上で構成し、球の同心的な積層のスパイラルベベルギアにて、全ての軸の交差角度の歯車を構成するのが先の出願であり、本出願で実現可能な形状の定義を広げる。【選択図】図１
2010216518.tif 000002
【特許請求の範囲】
【請求項１】
第１の形体として平面上において、平歯車を軸方向に平面積層すると共に所定角度ずつずらせて該軸周りに形成される歯車外形の包絡線を外形とするヘリカルギアであり、該ヘリカルギア同士を噛合するように組み合わせた歯車装置であって、  第２の形体として球表面上において、球表面歯車を軸方向に同心球積層をすると共に所定角度ずつずらせて該軸周りに形成される歯車外形の包絡線を外形とするスパイラルベベルギアであり、該スパイラルベベルギア同士を噛合するように組み合わせた歯車装置であって、  上記の平面上および球表面上において、単数もしくは複数の歯形基準円が、歯車基準円の円周上に中心が位置し、該歯形基準円の歯車基準円外周側もしくは歯車基準円内周側と、該歯車基準円の円周上に沿う形状を外形とし、平面上もしくは球表面上に該外形を構成するもので、歯車基準円外周側と歯車基準円内周側の該歯形基準円上の該外形を変形するものであり、該歯形基準円上の噛合う摺接側部の一方において、歯先と歯底の組が、一部摺接部と面摺接部の組となる歯形状とし、  正しい伝達角度において、該一部摺接部と重複する部分を削除し、他の噛合い重複部は噛合いのどちらか一方の重複部分を削除するものであり、噛合いのいずれかに、伝達摺接部の歯形状を構成し、  平面積層および同心球積層された該歯車装置の全ての噛合いで、該伝達摺接部を構成する噛合い位相幅を有し、  全ての噛合が正しい伝達角度であることを特徴とする歯車装置。
【請求項２】
請求項１記載の歯形基準円が、同心で径を異にした２重であり、摺接側部の一方が小径の歯形基準円で構成され、他方が大径の歯形基準円で構成される歯車装置。
【請求項３】
請求項１の歯形基準円の構成において、上記の歯車基準円の円周上に中心が位置する該歯形基準円が、連続に接して配置され、歯車基準円外周側の該歯形基準円と、歯車基準円内周側の該歯形基準円とを交互に外形とし、噛合い基準点以外を上記一部摺接部とし、該一部摺接部と重複している噛合い重複部を削除し、他の噛合い重複部は噛合いのどちらか一方の重複部分を削除することを特徴とする請求項１記載の歯車装置。
【発明の詳細な説明】
【技術分野】
【０００１】  本発明は円弧を基礎とした歯の形状を有するヘリカルギアを組み合わせた歯車装置に関し、特に伝達誤差やバックラッシュを極めて小さくできる形状のヘリカルギアとスパイラルベベルギアを備えた歯車装置に関する。
【背景技術】
【０００２】  従来、平歯の歯車では、伝達誤差と遊びが大きくなる傾向にある真円歯形状の歯車は、あまり多く使用されることはないが、円歯形状の歯車としては、いくつかの例外となる歯車が知られている。その１つは円弧歯形を利用した歯車であって、相手歯車と噛み合う部分の歯形曲線が接触の開始点から噛み合い率が１となる点までの間の歯形曲線の少なくとも１部をピッチサークル上に中心を有し、その両側の歯形曲線と滑らかに接続するようにしたもの（例えば、特許文献１参照。）などが知られている。
【先行技術文献】
【特許文献】
【０００３】
【特許文献１】特開平１１−９４０５２号公報
【特許文献２】特開昭４９−９５２４号公報
【特許文献３】特開昭５０−１５２１４６号公報
【特許文献４】特開昭５１−１３０４７号公報
【特許文献５】特開昭５３−２２９４２号公報
【特許文献６】特開２００８−１３８８７４号公報
【特許文献７】ＰＣＴ／ＪＰ２００８／０６６０５３
【特許文献８】特願２００９−２６７３２
【発明の概要】
【発明が解決しようとする課題】
【０００４】  従来の真円歯の平歯車は、主に歯形基準円の大きさと歯数で歯車の大きさが決定され、衝突方向に偏差マージンが無いために、真円歯の歯車はあまり使われることはなかった。そのため、従来の楕円を基準とした設計がされており、その歯形状はそのまま、螺旋状に歯列を備えたヘリカルギアにも応用されていた。そのため、噛み合う歯車の間で互いのピッチ円の間にある隙間であるバックラッシュをゼロとしたり、伝達誤差をゼロとする歯車を設計することが出来なかった。そこで、上述の技術的な課題に鑑み、バックラッシュや伝達誤差を極めて小さくするような歯車装置の提供を目的とする。以上が、先に出願のＰＣＴ／ＪＰ２００８／０６６０５３の課題である。【０００５】  先に出願のＰＣＴ／ＪＰ２００８／０６６０５３において、相互の回転軸が平行でのみ、伝達誤差とバックラッシュがゼロに近い歯車を構成できるものであるため、特願２００９−２６７３２において、相互の回転軸が平行以外の全ての角度で噛合いが可能な、伝達誤差とバックラッシュがゼロに近い歯車を構成することである。【０００６】  本出願において、伝達誤差とバックラッシュがゼロに近い歯車を構成できる形状を深く検証し、先に出願のＰＣＴ／ＪＰ２００８／０６６０５３と特願２００９−２６７３２の実施される形態をより深くするものである。
【課題を解決するための手段】
【０００７】  上述の課題を解決するため、本発明の歯車装置は、第１の形体として平面上において、平歯車を軸方向に平面積層すると共に所定角度ずつずらせて該軸周りに形成される歯車外形の包絡線を外形とするヘリカルギアであり、該ヘリカルギア同士を噛合するように組み合わせた歯車装置であって、第２の形体として球表面上において、球表面歯車を軸方向に同心球積層をすると共に所定角度ずつずらせて該軸周りに形成される歯車外形の包絡線を外形とするスパイラルベベルギアであり、該スパイラルベベルギア同士を噛合するように組み合わせた歯車装置であって、上記の平面上および球表面上において、単数もしくは複数の歯形基準円が、歯車基準円の円周上に中心が位置し、歯形基準円の歯車基準円外周側もしくは歯車基準円内周側と、歯車基準円の円周上に沿う形状を外形とし、平面上もしくは球表面上に該外形を構成するもので、歯車基準円外周側と歯車基準円内周側の歯形基準円上の該外形を変形するものであり、歯形基準円上の噛合う摺接側部の一方において、歯先と歯底の組が、一部摺接部と面摺接部の組となる歯形状とし、正しい伝達角度において、該一部摺接部と重複する部分を削除し、他の噛合い重複部は噛合いのどちらか一方の重複部分を削除するものであり、噛合いのいずれかに、伝達摺接部の歯形状を構成し、平面積層および同心球積層された該歯車装置の全ての噛合いで、該伝達摺接部を構成する噛合い位相幅を有し、全ての噛合が正しい伝達角度であることを特徴とする。【０００８】上述の課題を解決するため、本発明の歯車装置は、上記の歯形基準円が、同心で径を異にした２重であり、摺接側部の一方が小径の歯形基準円で構成され、他方が大径の歯形基準円で構成されることを特徴とする。【０００９】  また、本発明の歯車装置は、上記の歯形基準円の構成において、歯車基準円の円周上に中心が位置する歯形基準円が、連続に接して配置され、歯車基準円外周側の歯形基準円と、歯車基準円内周側の歯形基準円とを交互に外形とし、噛合い基準点以外を上記一部摺接部とし、該一部摺接部と重複している噛合い重複部を削除し、他の噛合い重複部は噛合いのどちらか一方の重複部分を削除することを特徴とする。【００１０】  本発明の歯車装置については、本明細書と請求の範囲において、次のような用語によって説明がなされるものである。まず、“歯車基準円”は、歯車の回転軸を中心とした基準円であって、本発明では、その円周上に次に説明する歯形基準円の中心が並べられる構造とされる。また、“歯形基準円”は、本発明の歯車の歯先と歯底と歯面を形成するための基準となる円であり、先に説明した歯車基準円上に中心があり、連続で互いに接して並んでいるものである。これらの“歯車基準円”と“歯形基準円”は、それぞれ実際の歯車の外形をなすものではなく、設計の段階で考慮すべき仮想的な線図であり、ギアの回転軸に垂直な断面内で平面的な平歯車（スパーギヤ）を軸方向に重ねると共に所定角度ずつずらせて該軸周りに形成される歯車外形の包絡線を外形とすることでヘリカルギアを形成することを技術的な思想としている。“歯車平面形状”は、回転軸に垂直な歯車の断面を示すものであり、歯車外形の包絡線を形成するための基礎となる平歯車の形状を言う。【００１１】 “球表面歯車”は真円の球の表面に構成される歯車であり、上記の歯車平面形状を球面に置き換えたものであり、球表面歯車の回転軸の延長は球の中心を通過するものであり、球の中心から放射方向に厚みを有するもので、本発明特有の表現である。“同心球積層”は同一の中心の複数の球の表面が、該球の径の差により複数の球表面が構成できるものであり、該球の中心を通る相互の回転軸線を、回転する球表面歯車が、各球面上で噛合って相互回転が可能であり、各球の径に比例して各球表面上の球表面歯車の大きさが変わることで、各球表面上で同一の噛合いが可能となるものであり、この各球表面上の球表面歯車を本発明記載の条件に従って、連続的に積層をするものであり、球表面歯車を限りなく薄くすることにより、滑らかなスパイラルベベルギアとなりうるものであり、本発明特有の表現である。また、本発明での平面上の定義を、球面上の定義にする場合は、平面上の定義と球表面上の定義を置き換えるものである。距離の定義は球表面上の距離を示すものであり、直線の定義は球の中心から直線に見える、球表面上の線の定義と置き換えるものである。【００１２】“歯車基準円外周側”と“歯車基準円内周側”は、歯車基準円から見た外周側と内周側であり、歯形基準円の外周側と内周側とを区別するものである。“平面積層”は、同心球積層に対応して、ギアの回転軸に垂直な断面内で平歯車（スパーギヤ）を軸方向に重ねると共に所定角度ずつずらせることとする。また、平歯車（スパーギヤ）を限りなく薄くすることにより、滑らかなヘリカルギアとなりうるものである。“ヘリカルギア”は、平歯車を段階的に平面積層されたものである。“スパイラルベベルギア”は、球表面歯車を段階的に同心球積層されたものである。“摺接側部”とは、歯車の噛合いを噛合い頂点の中心線で分岐し、一方の摺接部と、他方の摺接部を分けて示すものである。“伝達摺接部”とは、正しい伝達角度での歯車の噛合いでの両側の摺接側部を示し、積層された歯車においては、積層された多数の噛合いの摺接側部のいずれかの、正しい伝達角度の両側の摺接側部を示すものである。“一部摺接部”とは、歯形基準円の一部を外形とする歯形の、歯形基準円の円周上の部分を示すものである。“面摺接部”とは、歯形基準円の曲面を外形とする歯形の、歯形基準円の円周上の部分であり、一部摺接部が摺接して噛合う面を示すものである。
【発明の効果】
【００１３】  先に出願のＰＣＴ／ＪＰ２００８／０６６０５３によれば、ヘリカルギア同士を組み合わせ、伝達誤差を小さく抑えて、バックラッシュをゼロに近い設定にすることができる。新しい歯形状の歯車設計法により、歯車の伝達誤差とバックラッシュをゼロに近いものにするものであり、正確に回転角度を伝えることが出来るものである。その二次的な効果として振動、駆動音が低減出来る。さらに、伝達誤差が極めて小さいため、高速回転でのストレスが少なくスムーズな高速回転が可能になる。また、伝達誤差が極めて小さいということから、エネルギー損失が少なく、省エネルギーになる。上記のＰＣＴ／ＪＰ２００８／０６６０５３は相互の回転軸が平行の場合のみの、歯車の噛合いであったが、次の出願の特願２００９−２６７３２によれば、相互の回転軸が平行以外の全ての角度で噛合いが可能となるものである。本出願は上記出願の、伝達誤差とバックラッシュをゼロにする形状の定義を深くするものである。
【図面の簡単な説明】
【００１４】
【図１】本発明の単歯先歯車と単歯底歯車の平面図である。
【図２】円歯の歯車の平面図である。
【図３】径の比を１：１とする装置の円歯（歯形基準円）の回転移動を示す模式図である。
【図４】径の比を１：１とする装置の歯形基準円が楕円である歯車の回転移動を示す模式図である。
【図５】７歯で径の比が１：１の円歯同士の−２５.７１度の噛合いの様子を示す模式図である。
【図６】７歯で径の比が１：１の円歯の−１２度の噛合いの様子を示す模式図である。
【図７】７歯で径の比が１：１の円歯の０度の噛合いの様子を示す模式図である。
【図８】７歯で径の比が１：１の円歯の７度の噛合いの様子を示す模式図である。
【図９】７歯で径の比が１：１の円歯の１２度の噛合いの様子を示す模式図である。
【図１０】７歯で径の比が１：１の円歯の２５.７１度の噛合いの様子を示す模式図である。
【図１１】７歯で径の比が１：１の従来歯の０度の噛合いの様子を示す模式図である。
【図１２】７歯で径の比が１：１の従来歯の７度の噛合いの様子を示す模式図である。
【図１３】７歯で径の比が１：１の従来歯の１３度の噛合いの様子を示す模式図である。
【図１４】円歯の噛合い位相のバックラッシュを示すグラフである。
【図１５】従来歯の噛合い位相のバックラッシュを示すグラフである。
【図１６】従来歯と円歯のヘリカルギアの斜視図である。
【図１７】円歯の平歯車の歯車平面形状を積層しヘリカルギアを構成する模式図である。
【図１８】円歯のヘリカルギアを横から視た場合の模式図である。
【図１９】円歯の噛合いに影響の無い歯先、歯底を削ったところの歯車装置を示す模式図である。
【図２０】円歯が中心線方向に重複したところの歯車装置を示す模式図である。
【図２１】円歯の偏差許容の盛り込まれたところの歯車装置を示す模式図である。
【図２２】３０歯対３歯の歯形基準円の噛合いの模式図である。
【図２３】図２２に示す噛合い重複部の拡大図である。
【図２４】３０歯対３歯の歯形基準円の移動の軌跡の図である。
【図２５】図２４に示した歯先の移動軌跡の比較の図である。
【図２６】３０歯対３歯の歯形の比較図である。
【図２７】３０歯対３歯の歯底の深さの比較図である。
【図２８】噛合いの歯形基準円と円歯中心線の図である。
【図２９】歯車を構成する歯形基準円の全体図である。
【図３０】噛合いパターン１（ＣＡＳＥ１）の円歯中心線の長さの演算を導く図である。
【図３１】噛合いパターン２（ＣＡＳＥ２）の円歯中心線の長さの演算を導く図である。
【図３２】噛合いパターン３(ＣＡＳＥ３)の噛合い基準点と歯形基準円の中心との距離の演算を導く図である。
【図３３】６歯対６歯の噛合いパターン１と２の円歯中心線の距離の変化の演算表である。
【図３４】６歯対６歯の噛合いパターン３の噛合い基準点と歯形基準円の中心との距離の変化の演算表である。
【図３５】３歯対３０歯の噛合いパターン１と２の円歯中心線の距離の変化の演算表である。
【図３６】３歯対３０歯の噛合いパターン３の噛合い基準点と歯形基準円の中心との距離の変化の演算表である。
【図３７】３歯対３０歯の第４の条件の整形をされた噛合い位相０度の図である。
【図３８】３歯対３０歯の第４の条件の整形をされた噛合い位相３０度の図である。
【図３９】３歯対３０歯の第４の条件の整形をされた噛合い位相１０度の図である。
【図４０】図３９に示す歯車装置の接触面の拡大図である。
【図４１】３歯対３０歯の第４の条件の整形をされた噛合い位相２度の図である。
【図４２】図４１に示す歯車装置の接触面の拡大図である。
【図４３】噛合い位相幅が１／２周期の、３歯対３０歯の第４の条件の整形をされた噛合い位相−５５度の図である。
【図４４】図４３に示す歯車装置の接触面の拡大図である。
【図４５】噛合い位相幅が１周期の、３歯対３０歯の第４の条件の整形をされた噛合い位相−５５度の図である。
【図４６】図４５に示す歯車装置の接触面の拡大図である。
【図４７】球表面に歯車基準円と歯形基準円を配置した斜視図である。
【図４８】球表面歯車を断続の４層に同心球積層した設計思想の為の断面図である。
【図４９】球表面の歯車基準円を球の中心まで同心球積層した斜視図である。
【図５０】回転軸線が交差するスパイラルベベルギアを示す斜視図である。
【図５１】単歯先歯車が−４６．６度の噛合いの様子を示す模式図である。
【図５２】単歯先歯車が−３０度の噛合いの様子を示す模式図である。
【図５３】単歯先歯車が０度の噛合いの様子を示す模式図である。
【図５４】単歯先歯車と単歯底歯車の噛合い位相のバックラッシュを示すグラフである。
【図５５】歯先が削除の整形の単歯先２重歯形基準円歯車と単歯底２重歯形基準円歯車の平面図である。
【図５６】単歯先２重歯形基準円歯車が−４２．８１度の噛合いの様子を示す模式図である。
【図５７】単歯先２重歯形基準円歯車が−２０度の噛合いの様子を示す模式図である。
【図５８】単歯先２重歯形基準円歯車が０度の噛合いの様子を示す模式図である。
【図５９】単歯先２重歯形基準円歯車が１０度の噛合いの様子を示す模式図である。
【図６０】単歯先２重歯形基準円歯車が３０度の噛合いの様子を示す模式図である。
【図６１】単歯先２重歯形基準円歯車が３８．３７度の噛合いの様子を示す模式図である。
【図６２】歯先が削除の整形の単歯先２重歯形基準円歯車と単歯底２重歯形基準円歯車の噛合い位相のバックラッシュを示すグラフである。
【図６３】歯底が削除の整形の単歯先２重歯形基準円歯車と単歯底２重歯形基準円歯車の平面図である。
【図６４】単歯先２重歯形基準円歯車が−４６．５８度の噛合いの様子を示す模式である。
【図６５】単歯先２重歯形基準円歯車が−１９．５度の噛合いの様子を示す模式図である。
【図６６】単歯先２重歯形基準円歯車が−１６．７度の噛合いの様子を示す模式図である。
【図６７】単歯先２重歯形基準円歯車が−１０度の噛合いの様子を示す模式図である。
【図６８】単歯先２重歯形基準円歯車が０度の噛合いの様子を示す模式図である。
【図６９】単歯先２重歯形基準円歯車が１０度の噛合いの様子を示す模式図である。
【図７０】単歯先２重歯形基準円歯車が１７．９８度の噛合いの様子を示す模式図である。
【図７１】単歯先２重歯形基準円歯車が１８度の噛合いの様子を示す模式図である。
【図７２】単歯先２重歯形基準円歯車が４０．５５度の噛合いの様子を示す模式図である。
【図７３】歯底が削除の整形の単歯先２重歯形基準円歯車と単歯底２重歯形基準円歯車の噛合い位相のバックラッシュを示すグラフである。
【発明を実施するための形態】
【００１５】  図２乃至図４６は先に出願された、ＰＣＴ／ＪＰ２００８／０６６０５３の内容であり、図４７乃至図５０は先に出願された、特願２００９−２６７３２の内容であり、この発明が実施できる形態をさらに深く定義するものであり、図面を参照しながら説明する。図１は、本発明の実施が可能な形態の断面図である。
【００１６】  図２において、ここで各円歯の歯車（７，８）の断面形状について説明すると、歯車基準円（３）の円周上に中心が位置すると共に、それぞれ互いに接して配される複数の歯形基準円（４）が設けられ、該歯形基準円（４）の円周部分のうち、該歯車基準円（３）の内周側と外周側に位置する円周部分を該歯形基準円（４）の周方向に沿って交互に歯形状の一部としており、歯先側に歯形基準円（４）の外側に沿った凸部（６２）を有し、その歯底側に歯形基準円（４）の内側に沿った凹部（６１）を有する形状とされ、凸部（６２）と凹部（６１）は歯先と歯底の間で広がったＳ字を描いて連続するように形成されている。
【００１７】  また、特に本実施形態の歯車装置は、後述するように、一方の平歯車の歯先の頂点と他方の平歯車の歯底の頂点とが各回転軸を結ぶ中心線と重なる噛合い位置から、各平歯車の歯車平面形状を正しい伝達角度で角度回転させて、該歯車平面形状の重複部分を削除した歯形を有しており、特に歯車の生産誤差を見込んだ場合には、微細な切削量であっても重複部分を削り込んだ形状であることが望ましく、このような切削により理想的には、歯車の伝達誤差とバックラッシュを極めてゼロに近いものにすることができ、歯車間の伝達ロスなどを抑制させることができる。
【００１８】  次に、歯車装置について、その設計的な技術内容について詳しく説明するが、歯車装置では本明細書の範囲で次のような各用語を用いており、初めにこれらの用語について説明する。
【００１９】  “噛合い周期の起点”は、本明細書においては、歯車の噛合いにて、両歯車の回転軸同士を結んだ中心線上に一方の歯車の歯先の頂点と他方の歯車の歯底の頂点とが重なり合う状態の位相の原点を示すものである。同じ噛合い状態になる区間を１周期とするものである。
【００２０】  “噛合い頂点”は、本明細書においては、前記の噛合い周期の起点では歯先と歯底の頂点が重なり合い、噛合い周期の起点から１／２周期では、歯先と歯底が入れ替わった状態で頂点が重なり合う状態になり、この重なり合っている頂点を示すものである。
【００２１】  “噛合い接線”は、本明細書においては、ヘリカルギアの回転状態がｘｙ軸上に在ると仮定すると、ｚ軸上にピッチ点が直線状態で存在する。この直線を示すものである。
【００２２】  “噛合い位相”は、本明細書においては、噛合い周期の起点を噛合い位相０度として、時計回りの逆を「＋」方向として角度を表すものである。
【００２３】  “噛合い位相幅”は、本明細書においては、回転軸方向に歯車平面形状すなわち平歯車を積層させ、該平歯車を回転方向にすこしずつずらせながら外形の包絡線を構成するとヘリカルギアを形成することになるが、ヘリカルギアの噛合い接線には、位相のずれる噛合いが連続して存在することから、ヘリカルギアの噛合いについての位相の幅を示すものである。
【００２４】  “噛合い重複部”及び“歯車平面形状の重複部分”は、本明細書においては、歯車平面形状で、正しい伝達角度で噛合わせる事による衝突部分（重なり合う部分）であり、設計段階ではこのような噛合い重複部や重複部分が存在することになるが、この重複部を切削などによって削ることで、重複部分は無くなり、理想の伝達を行う歯車同士として機能することになる。
【００２５】  “偏差許容”は、大量生産で発生するサイズのバラツキや温度環境や経年変化での変形に対応して、性能が保証出来るように、性能に影響の少ない部分を削除する整形を意味するもので、本発明の歯車装置に特有の表現である。また、“偏差マージン”は、上記のサイズのバラツキと起こりうる変形に対応する整形の量を示すものであり、偏差許容の程度を示すものであって、本発明の歯車装置に特有の表現である。
【００２６】  “円歯中心線”は、噛み合う歯車の歯形基準円の中心を結ぶ線であり、噛合い頂点では円歯中心線の長さは歯形基準円の直径と同じになる。また、“噛合い基準点”は、噛合い周期の起点での歯車の接点（円歯中心線と歯形基準円の交点）であり、歯車に依存する位置(歯形の整形の基準とする部分)であり、本発明特有の表現である。
【００２７】  “限界隙間”は、歯車として機能するための歯車同士の最小の隙間を示すもので、本発明特有の表現である。
【００２８】  “中心線方向の重複部分”は、本発明の平歯車の偏差許容の整形ために削除される部分であり、噛合い頂点で偏差マージンの距離を中心線方向に重複させて、その部分を削除するための重複した部分を言う。
【００２９】  “回転軸線”は回転軸の中心を通る線を延長したものである。本発明特有の表現である。
【００３０】  “軸角度”は噛合う歯車の相互の回転軸線が交わる角度を示すものである。本発明特有の表現である。
【００３１】  このような各用語の定義に基づいて、本実施形態の歯車装置について、その理論的な設計形状から偏差許容を加味した設計形状までの説明を、図面を参照しながら行う。また、本明細書において、球面上の定義の場合は平面上の定義を球面上の定義と置き換えるものであり、直線の定義は球の中心から見て、直線に見える球面上の線の定義と置き換えるものである。先ず、図２乃至図１８を参照して、偏差許容を加味しない理論的な設計形状を説明する。
【００３２】  図２は、円歯の歯車（７、８）を示す図であり、この歯車装置では、速度伝達比が１対１の歯車基準円（３）と歯形基準円（４）で形成した円歯の歯車（７、８）を有している。図面は歯の形状の影響が出やすい（噛み合う角度の大きい）、少ない歯数の歯車で描画したものである。歯車基準円（３）の円周上に歯形基準円（４）の中心が在り、歯形基準円（４）は接して並んでいる。この図２に示す歯車装置では、該歯形基準円（４）の円周部分のうち、該歯車基準円（３）の内側と外側に位置する円周部分を該歯車基準円（３）の周方向に沿って交互に歯形状としており、外周部に目立つような直線部分は形成されていない。図中、ピッチ点（９）は歯車（７、８）の軸中心を結んだ中心線（１０）上に位置している。
【００３３】  次に、図３と図４を用いて、歯形が円と楕円との対比を試みる。先ず、図３は、図２に示した円歯の１対１の径の歯車の噛合いの様子を歯形基準円（４）で表した図である。歯車基準円の中心からの直線（１７）で示す所定角度回転した場合には、歯車（７）については歯形基準円の回転移動軌跡（１１）のように歯が移動し、歯車（８）については歯形基準円の回転移動軌跡（１２）のように歯が移動して、さらに移動した場合には、歯車（７）については歯形基準円の回転移動位置（１３）の位置まで移動し、歯車（８）については歯形基準円の回転移動位置（１４）の位置まで移動する。歯形基準円の歯先の回転移動量（１５）と歯形基準円の歯底の回転移動量（１６）を比較しても明らかなように、歯車の回転で歯先と歯底では移動スピードに差が出てくる。歯形が円であれば、歯先も歯底も円周上に在るために、相互の歯車の歯先や歯底の角度が変わっても同じ形であり、噛合いに影響しないものである。すなわち、歯形基準円の中心の図面のx軸方向（図面右方向）の移動スピードが同じであるために、歯の形状が円であれば正しい伝達角度では歯同士が衝突しないことになるものである。
【００３４】  他方、図４は、１対１の径の楕円歯形の歯車の各回転移動軌跡（１８、１９）の噛合いの様子を表した図である。位相０度の歯形基準の楕円（２０）の位置から楕円歯形の歯車が回転した場合、歯先と歯底では移動スピードに差があるため、歯形の基準の楕円が重なり合う部分（２１）が発生することになる。これは図３に示すように、歯の形状が円であれば発生しないものであるが、楕円では発生してしまう。この現象のために、楕円を基準に歯形を形成しても、伝達誤差の原因になる。すなわち、図４に示すように、歯形の基準の楕円が重なり合う部分（２１）が発生することから、バックラッシュ改善の目的で、楕円の歯形状を基に整形させたとしても、バックラッシュをゼロに近づけることが出来ても、伝達誤差とバックラッシュがゼロの歯車を作ることは出来ないことを示している。
【００３５】  ここで、楕円ではなく円の歯形を採用して、速度伝達比が１対１において伝達誤差とバックラッシュがゼロの歯車の偏差許容の無い形状に歯車について、詳しく考察する。すなわち、円歯のヘリカルギアが伝達誤差とバックラッシュを無くすことの証明を試みるものである。
【００３６】  図５乃至図１０は、１対１の径の７歯の平歯車について、噛み合いの各状態を図示したものである。まず、噛合い周期の起点を噛合い位相０度とし、時計回りの逆回転を「＋」の角度とし、時計回り方向を「−」の角度として、図５乃至図１０の間では、噛合い位相を−２５．７１度、−１２度、０度、７度、１２度、２５．７１度で変化させたものである。図５の噛合い位相−２５.７１度（１／２周期）では、バックラッシュはゼロになることが示されている。図６の噛合い位相−１２度では、バックラッシュは１.７度であることが示されている。図７の噛合い位相０度では、バックラッシュはゼロになることが示されている。図８の噛合い位相７度では、バックラッシュは０．４度になることが示されている。図９の噛合い位相１２度では、バックラッシュは１.７度になることが示されている。図１０の位相２５.７１度（１／２周期）では、バックラッシュはゼロになることが示されている。各図５乃至図１３では、左の歯車が規定の角度であり、右の歯車は「＋」側に寄っている。
【００３７】  これに対して、図１１乃至１３は、径１：１の従来歯形状の７歯の歯車（２２、２３）の噛合いの各状態を図示している。図１１は従来歯形状の歯車（２２、２３）が０度の噛合いの状態を示す図である。図１２は従来歯形状の歯車（２２、２３）が７度の噛合いの状態を示す図である。図１３は従来歯形状の歯車（２２、２３）が１３度の噛合いの状態を示す図である。
【００３８】  次に、図１４、１５を参照して、これらの歯車についてのバックラッシュを解析する。図１４、１５の波形は、左の歯車の任意の位相角における、右の歯車のバックラッシュの角度を表現している。図１４の波形は図５乃至図１０の円歯の歯車のバックラッシュの波形であり、図１５の波形は図１１乃至図１３の従来歯形の歯車のバックラッシュの波形である。右の歯車の「＋」方向へのバックラッシュの上限角度を実線でグラフ化しており、右の歯車の「−」方向へのバックラッシュの上限角度を点線でグラフ化している。なお、この実線と点線の波形の間の角度で右の歯車の回転は自由である。図１４、１５の値は歯数７の円歯の歯車のバックラッシュをCAD（コンピューター作画）の実測で求めたものであり、従来歯形状の場合も図１１乃至図１３の従来歯形状をCADにて実測したものである。従来歯形状の場合は、歯形状の違いで、グラフの値の差が大きくなるが、波形の傾向を観る参考値になるものである。
【００３９】  噛合う歯車の回転方向は逆であるため、図面上の左右の歯車で±が逆の値が正しい伝達角度になる。円歯の歯車（７、８）の図５乃至１０の噛合いを図１４の波形で判断すると、全ての位相で、バックラッシュの範囲内には正しい伝達角度が存在することが解る。これに対して従来歯形状の歯車の図１１乃至１３の噛合いを図１５の波形で判断すると、全体的に正弦波のようなバックラッシュの分布を示し、バックラッシュの範囲に正しい伝達角度が存在しない位相が多いことが判明している。すなわち、これら図１４、１５に示すデータの解析から、円歯（７，８）の方が正しい伝達角度に関して従来の形状の歯車に対して優位であることが証明されたことになる。
【００４０】  次に、ここまでの円歯についての平歯車についての技術的な考察を、該平歯車を軸方向に重ねると共に所定角度ずつずらせて該軸周りに形成される歯車外形の包絡線を外形としたものとすることができるヘリカルギアについて考察する。結論としては、伝達誤差とバックラッシュの両方を極めてゼロに近づけることができるものである。
【００４１】  図１６は従来歯と円歯の歯車をヘリカルギアにした斜視図であり、従来歯のヘリカルギア（２８）と円歯のヘリカルギア（２９）を図示している。ヘリカルギアを横から観ると図１８に示すようになり、円歯の歯先の頂点（３０）と円歯の歯底の頂点（３１）が回転軸に対して斜めに位置するように形成される。図１７の様に、ヘリカルギア（２９）は平歯車を軸方向に重ねると共に所定角度（例えば５度）ずつずらせて該軸周りに形成される歯車外形の包絡線を外形としたものであり、図１８に示すように、噛合い接線（９）の方向には位相のずれた歯車の噛合いが複合して存在することになる。
【００４２】  伝達誤差とバックラッシュをゼロにする条件について要約すると、先ず、１対１の径の円歯の歯車平面形状すなわち平歯車（スパーギア）において、図１４に示すように、バックラッシュの範囲には、正しい伝達角度が含まれており、伝達誤差とバックラッシュがゼロになるのは、噛合い位相が０度のポイントと１／２周期ずれたポイントになる。平歯車を軸方向に重ねると共に所定角度ずつずらせて該軸周りに形成される歯車外形の包絡線を外形としたヘリカルギアでは、回転軸方向に１／２周期以上の噛合い位相幅を設けることが前提となる。回転軸方向に１／２周期以上の噛合い位相幅を設けることで、回転軸方向に仮想的に積層される平歯車の噛合い頂点における伝達角度は正しい伝達角度であり、よってヘリカルギアの挙動は全体としてバックラッシュがゼロの部分に制限されることになり、上記の積層を細分化すると、全ての噛合いの角度が正しい伝達角度であり、バックラッシュがゼロの歯車装置が得られることになる。
【００４３】  速度伝達比が１対１において、上述の伝達誤差とバックラッシュがゼロの歯車装置の成立の条件を定義すると、第１の条件は、平歯車（スパーギア）において、全ての噛合い位相でバックラッシュの範囲に正しい伝達角度が含まれている形状である。なお、この条件になるためには、歯形基準円は歯車基準円の円周上に中心が在り、歯形基準円は接して並んでいることが必要である。第２の条件は、第１の条件の平歯車を軸方向に重ねると共に所定角度ずつずらせて該軸周りに形成される歯車外形の包絡線を外形としたヘリカルギアを形成するものであり、該積層した平歯車の全てで噛合い頂点は正しい伝達角度であり、噛合い頂点での噛合いのバックラッシュがゼロである。そして、第３の条件は、ヘリカルギアの噛合い位相幅が１／２周期以上である。これらの第１〜第３の条件を満たすギアでは、伝達誤差とバックラッシュがゼロの歯車装置が成立し得ることになる。
【００４４】  実際の歯車の場合には、加工精度によって多少の設計値からの誤差を含んだ形状に各歯車は形成され、先に説明した伝達誤差とバックラッシュがゼロの歯車に、偏差許容を得るための整形を行う必要が生じる。すなわち、先の歯車装置は一見すると完全な性能の、伝達誤差とバックラッシュがゼロの歯車にも思えるが、大量生産の場合は製品のバラツキが存在し、さらに温度による変化や経年変化などで、誤差が生じるものであり、完全な形体であるが故に、歯車の衝突方向の変形の場合は、回転の障害もしくは回転停止につながるものである。そのために、生産上の誤差に対して許容を持たせなければ、歯車として実用とはならないものである。
【００４５】  歯車平面形状すなわち平歯車（スパーギヤ）において、歯形基準円が噛み合う歯車の隙間という概念で考察すると、歯形基準円を超えない歯形整形ならば、間隔を大きくするとバックラッシュは大きくなるが、バックラッシュの範囲内に正しい伝達角度が存在することに変わりは無いものである。先の伝達誤差とバックラッシュがゼロの歯車装置の成立の３つの条件を満たす歯形整形は、噛合い頂点で、バックラッシュがゼロの噛合いを実現していれば、先の第１乃至第３の条件が成立するものである。
【００４６】  図１９の様に、噛合い頂点でバックラッシュがゼロの噛合いで、噛合いに影響の無い部分、歯形状の歯先付近あるいは歯底付近を削ることが出来る。この整形では先の第１乃至第３の条件が成立するものである。この図１９に示された歯車の歯の形状については、図２に示した歯車の形状と同様に、歯車基準円の円周上に中心が位置すると共に、それぞれ互いに接して配される複数の歯形基準円（３５、３６）が設けられ、該歯形基準円（３５，３６）の円周部分のうち、該歯形基準円の内側と外側に位置する円周部分を該歯形基準円の周方向に沿って交互に歯形状の一部としており、歯先側に歯形基準円（３５、３６）の外側に沿った凸部を有し、その歯底側に歯形基準円（３５、３６）の内側に沿った凹部を有する形状とされ、凸部と凹部は歯先と歯底の間で広がったＳ字を描いて連続するように形成されている。各歯車（３３、３４）の歯底には、軸の中心側に向かって削り込んだ歯底平坦部（６）が形成され、各歯車（３３、３４）の歯先には、頂点部分を削り込んだ歯先平坦部（５）が形成され、これら歯底平坦部（６）と歯先平坦部（５）は、ギアの軸を中心とする円の接線方向に平行な面を有するように構成されている。中心線に近い角度の歯面には接触面（３２）がバックラッシュがゼロで形成されている。
【００４７】  図２０は、歯車（３３、３４）同士を中心線方向に重複させたものである。中心線に近い角度の歯面はほとんど重複していないことがわかる。偏差許容の対策は、この中心線方向の重複部分（３７）を削るものである。この整形では、中心線に近い角度の歯面の接触面は、ほとんど削られておらず、先に説明したバックラッシュがゼロの噛合いの成立条件のうちの第２の条件の“噛合い頂点での噛合いのバックラッシュがゼロである。”は、完全ではないが、ほぼゼロに近いという意味で成立していると見做すことができる。
【００４８】  なお、上記の重複部分（３７）の切削加工において、歯先側と歯底側のどちらの方を削ると良いかということについては、歯車について、中心線に近い角度の噛合いを優先すると、歯底側を削ることになる。
【００４９】  上記内容で整形した歯車が図２１に示す歯車である。上記の設計法であれば、歯車の変形が大きくなる様な材質であっても、伝達誤差とバックラッシュの少ない歯車が実現でき、逆に、バラツキと変形の少ない材質であれば、伝達誤差とバックラッシュとがゼロに近い歯車を形成できることになる。
【００５０】  次に、速度伝達比が１対１以外での“伝達誤差とバックラッシュがゼロの歯車”について説明する。歯車の速度伝達比が違うと極僅かな程度であるが、平歯車形状の想定で噛合い重複部が発生する。
【００５１】  図２２、図２３に示す１０対１（３０歯対３歯）の速度伝達比で、噛合い位相Sθ＝１０°の条件は、噛合い重複部（２１）が大きくなる角度である。この噛合い重複部は、同径の歯車では発生しないが、速度伝達比の差が大きくなる歯車ではより大きく発生するものである。図２２、図２３では、３歯の歯車の歯形基準円（３９）と３０歯の歯車の歯形基準円（４０）が噛合い位相Sθ＝１０°の条件で示されており、３０歯の歯車基準円（４１）上には噛合い重複部（２１）が発生していることが分かる。なお、図２３は図２２の歯車の噛み合い部分の要部拡大図である。
【００５２】  図２４に示される歯形基準円の歯先の軌跡について考察すると、３歯の歯車の歯形基準円（３９）と３０歯の歯車の歯形基準円（４０）の移動量を矢印で示すと、図２５に示すように、３歯の歯形基準円の歯先の移動の軌跡（４２）と３０歯の歯形基準円の歯先の移動の軌跡（４３）のように図示される。この図２５に示すように、歯形基準円の歯先のy軸方向の移動に差（Δｙ）が生ずることになる。さらに、図２６、図２７に示すように、３歯の歯車（４４）と３０歯の歯車（４５）を噛み合わせた場合に、３歯と３０歯の歯底の形状の重ね合わせ位置（４６）から判断できるように、歯数の多い歯車では歯底の深さが深くなることが分かる。  
【００５３】  さらに、１０対１（３０歯対３歯）の速度伝達比の噛合い重複部について考察した場合には、図２８のように、歯車での噛合いの状態は、歯形基準円の中心の座標を角とする長方形（７３、７４）で表すことができる。図２８において、大きい歯車（例えば３０歯）の噛合い頂点の歯形基準円（４７）と小さい歯車（例えば３歯）の噛合い頂点の歯形基準円（４８）が描かれており、その移動先としては、大きい歯車の移動先の歯形基準円（４９）と小さい歯車の移動先の歯形基準円（５０）というように移動することが描かれている。噛合い頂点では円歯中心線（５１）は噛合い基準点（５２）を中心とし歯形基準円の直径と同じになる。移動先の噛み合い状態を示す長方形（７４）は、細い帯状に近い長方形となり、長辺がθｙで短辺がθｘの長方形である。一方、噛合い頂点の噛み合い状態を示す長方形（７３）は、長方形（７４）よりも面積の大きな長方形となり、長辺がｙ０で短辺がｘ０の長方形である。
【００５４】  歯形基準円の構造は図２９に示すように、直角三角形から構成されるものであり、歯形基準円（４）の半径「r」と歯形基準円数「n」と歯車基準円の半径「R」の関係はr = R×sin（３６０／２n ）となる。歯形基準円の位置関係は直角三角形で構成されているため、三角関数でそれぞれの座標と距離を求めることが出来るものである。なお、図２９において、大きい歯車の歯車基準円は半径LRであり、小さい歯車の歯車基準円は半径SRである。
【００５５】  次ぎに、ＣＡＳＥ１〜ＣＡＳＥ３の各噛み合わせ状況において、噛合い重複部が発生するかどうかを算出する。先ず、図３０、図３１の噛合い（ＣＡＳＥ１、ＣＡＳＥ２）において、噛合い重複部が発生するかどうかを算出するには、円歯中心線の長さが歯形基準円の直径より短いと、噛合い重複部が発生していることになる。大径の歯車（歯車基準円）の中心を座標（Ｌｘ、Ｌｙ）とし、小径の歯車（歯車基準円）の中心を座標（Ｓｘ、Ｓｙ）として、噛合いの各角度ごとに円歯中心線の長さを算出する。図中、大きい歯車の噛合い頂点の歯形基準円（４７）の移動先が歯形基準円（４９）であり、小さい歯車の噛合い頂点の歯形基準円（４８）が移動した先が歯形基準円（５０）である。この場合の円歯中心線と歯形基準円の直径との差をΔrとすると、重複部が発生する条件はΔｒ＜０となる。
【００５６】  同様に、図３２に示すＣＡＳＥ３では、正しい伝達角度で、小径の歯車の噛合い基準点と大径の歯車の歯形基準円の外周との重複部を、各角度ごとに算出するものである。図中、大きい歯車の噛合い頂点の歯形基準円（４７）の移動先が歯形基準円（４９）であり、小さい歯車の噛合い頂点の歯形基準円（４８）が移動した先が歯形基準円（５０）である。小径の歯車の噛合い基準点の座標（ＳＰｘ，ＳＰｙ）と大径の歯車の歯形基準円（４９）の中心の座標（Ｌｘ，Ｌｙ）との距離が、歯形基準円の半径より小さければ、噛合い重複部が発生していることになる。小径の歯車の噛合い基準点と大径の歯車の歯形基準円の中心との距離と、歯形基準円の半径との差をΔPrとすると、重複部が発生する条件はΔPr＜０となる。
【００５７】  速度伝達比が１対１（６歯対６歯）の歯車で、図３０のCASE1と、図３１のCASE２の噛合いの状態の演算を行った結果が図３３の表であり、図３２のCASE３の噛合いの状態での演算を行った結果が図３４の表である。ΔrとΔPrの値は歯形基準円の半径を１とした値であり、ＳｎとＬｎが１２であって、図３３は角度を０から３０度の間で２．５度ずつずらして演算している。速度伝達比が１対１（６歯対６歯）の歯車では演算結果により噛合い重複部は発生していない。演算結果のΔｒとΔPrにマイナスの値が出ると、噛合い重複部が発生していることになる。先に説明した図１４、図１５はCADの作画上のバックラッシュの角度をグラフ化したものであるが、図３３、図３４表は正しい伝達角度での歯形基準円の重複距離（隙間）を演算によって導き出すものである。
【００５８】  次に、図３５、図３６の表は速度伝達比が１対１０（３歯対３０歯）の歯車の演算を行ったものである。図３５は角度θを小径側で５度ずつずらし同時に大径側で０．５度ずつずらして、噛合いのパターンのCASE1、CASE２、CASE３に分けて演算したものである。ΔrとΔPrの値は歯形基準円の直径を１とした値である。演算結果より、非常に僅かな値ではあるが、ΔrとΔPrのマイナスの値（図中、参照符号５４、５５、５６で示す。）が出てきており、噛合い重複部が発生しているものである。
【００５９】  このような演算に基づいて、ΔrとΔPrのマイナスの値が生ずる噛合い重複部を除去することで、伝達誤差とバックラッシュがゼロの歯車の形成が可能になるものである。ΔrとΔPrのマイナスの値が生ずる噛合い重複部を除去することを定義すると、第４の条件として、速度伝達比が１対１以外の場合は、正しい伝達角度での噛合いの全ての位相において、歯車平面形状の噛合い基準点を残し噛合い重複部を削り、その歯面の整形をすることを条件とする。図３０乃至図３２の各状況において、噛合い頂点ではバックラッシュがゼロで噛合い重複部が無く噛合っている。双方の歯車の噛合い基準点は歯車基準円の中心を軸に回転しているため、噛合い基準点を残し噛合い重複部を削ると、正しい伝達角度での衝突が無い歯形を整形できるものである。
【００６０】  速度伝達比が１対１以外の場合は先の第２の条件（“第１の条件の平歯車を軸方向に重ねると共に所定角度ずつずらせて該軸周りに形成される歯車外形の包絡線を外形としたヘリカルギアを形成するものであり、該積層した平歯車の全てで噛合い頂点は正しい伝達角度であり、噛合い頂点での噛合いのバックラッシュがゼロである。”）を満足させるために、第４の条件の整形（“歯車平面形状すなわち平歯車の噛合いの全ての位相において、噛合い基準点を残して噛合い重複部を削り、その歯面の整形をすること”）をすることで、歯車装置が構成される。
【００６１】  この第４の条件の内容で、歯面と歯先を整形した歯車の噛合いが、図３７〜図４６で示される。噛合い重複部の大きさは、速度伝達比の差の大きな歯車であっても極僅かな値であって、偏差許容の大きな材質の歯車では偏差許容の範囲に入ってしまう程度である。
【００６２】  上記の歯形の整形により、先に説明した第１の条件の“歯車平面形状（スパーギア）において、全ての噛合い位相でバックラッシュの範囲に正しい伝達角度が含まれている形状である。”は実現している。
【００６３】  図４３、図４４の重複部（５４、５５、５６）の削除方法は１／２周期の噛合い位相幅にて、全ての回転角度で、伝達誤差とバックラッシュをゼロにするものであるが、３歯の歯車（５７）の谷が浅いので、噛合いの強度が弱くなるため、このような歯車の歯数が少ない場合は、噛合いの深い１０歯の歯車（５８）の谷をバックラッシュがゼロの噛合い基準点として、噛合い位相幅を１周期とするもので、その重複部（５４、５５、５６）の削除方法は図４５、図４６となるものである。
【００６４】  図３９乃至図４６のように、歯車平面形状にて噛合い頂点以外で正しい伝達角度で接する面を整形し、平歯車を軸方向に重ねると共に所定角度ずつずらせて該軸周りに形成される歯車外形の包絡線を外形とするヘリカルギアにすると、噛合い接線上のいずれかに、噛合いの反対側の歯面に、正しい伝達角度で接する面があり、歯車平面形状の噛合い頂点以外で、正しい伝達角度でバックラッシュをゼロにする形体を構成するために、先の第３の条件の“ヘリカルギアの噛合い位相幅が１／２周期以上である。”は、１／２周期の噛合い位相幅を少なく出来るものである。この少なく出来る位相幅は、歯車の速度伝達比の違いや歯面の整形の違いで変わるものである。
【００６５】  歯車装置について、その設計法をまとめると以下のように説明される。先ず、速度伝達比が１対１の歯車装置の場合は、歯車基準円の円周上に中心が在る歯形基準円が連続に接して並んでおり、限界隙間の大きさで歯先は歯形基準円に対し僅かに内周側で、歯底は僅かに外周側に形成され、噛合い頂点で、歯車構造に推定される偏差の推定距離を歯車同士の中心線方向に移動した重複部分が削られるものであり、平歯車を軸方向に重ねると共に所定角度ずつずらせて該軸周りに形成される歯車外形の包絡線を外形とするヘリカルギアを構成し、その平歯車で、全ての積層される平歯車の噛合い頂点を正しい伝達角度にすると共に噛合い接線上に１／２周期以上の噛合い位相幅を設けることを設計方法とする。
【００６６】  また、速度伝達比が１対１以外の歯車装置の場合は以下のように説明される。歯車基準円の円周上に中心が在る歯形基準円が連続に接して並んでおり、限界隙間の大きさで歯先は歯形基準円に対し僅かに内周側で、歯底は僅かに外周側に形成され、平歯車の形状にて、全ての位相の噛合い重複部の、噛合い基準点を残して削ぎ落とす。また、噛合う部分に対し、限界隙間の幅で上記整形部分の歯形状を削り、噛合い頂点で、歯車構造に推定される偏差の推定距離を歯車同士の中心線方向に移動した重複部分を削る。平歯車を軸方向に重ねると共に所定角度ずつずらせて該軸周りに形成される歯車外形の包絡線を外形とするヘリカルギアを構成し、歯車平面形状で、全ての積層の噛合い頂点を正しい伝達角度にすると共に噛合い接線上に１／２周期程度の噛合い位相幅を設けることを設計方法とする。
【００６７】  なお、図１７で厚みのある歯車平面形状（スパーギア）を想定すると、図１４で示されるバックラッシュがゼロに近い位相に幅があるため、スパーギアの位相を細分化していない、一定角度でずらせて軸方向に積層された歯車であっても、伝達誤差とバックラッシュがゼロに近い歯車を構成することが出来るものである。
【００６８】  以上に記載された内容が本件より先に提出の、ＰＣＴ／ＪＰ２００８／０６６０５３の内容である。上記の内容を応用し、噛合う歯車の相互の回転軸が平行でない場合の伝達誤差とバックラッシュがゼロに近い歯車を以下に説明するものである。
【００６９】  これより、前記内容を平面の定義から、球面の定義へと置き換えるものである。図４７に示すように、球表面上に球表面歯車を構成すると、噛合う相互の球表面歯車の回転軸線（７６）が球の中心を通るもので、球の大きさや歯車の大きさにより、回転軸同士が平行でない、あらゆる軸角度（Ａθ）での、歯車の噛合いが可能となるものである。上記の平面上で噛合う歯車平面形状の歯車の設計法の内容と同様に、球表面上に歯車基準円（３）の円周上に中心を持つ複数の歯形基準円（４）を接して配置する。歯車平面形状の内容と同様に球表面上に球表面歯車の形状を構成する。球（７７）の表面で球表面歯車が回転軸線（７６）を軸として回転しても球表面歯車が球（７７）の表面からはみ出ることはなく、球（７７）の表面上のみで噛合うものである。
【００７０】  球（７７）の表面上で噛合う相互の球表面歯車の回転軸線（７６）は球（７７）の中心で交差するものである。図４８に示されるように、同一の中心を持つ半径の違う複数の球の表面上の球表面歯車を、前記の平面上での第１〜４の条件を満足しながら、球表面歯車を軸方向に同心球積層をすると共に所定角度ずつずらせて該軸周りに形成される歯車外形の包絡線を外形とするスパイラルベベルギアを構成することが、可能となるものである。図４８は設計思想が理解しやすい断続的な４層であるが、積層を連続的に細分化して、第１から第３の条件を盛り込み構成すると、図５０になるものである。
【００７１】  図４９に示す、最外周の球（７７）表面上の歯車基準円（３）を中心に向けて連続的に同心球積層していくと、底が球面の円錐形が構成される。この回転軸線（７６）の交差の軸角度（Ａθ）は、歯車基準円（３）と球（７７）の大きさで任意に設定することが可能であるため、噛合う歯車の相互の回転軸線（７６）が平行以外であっても、全ての軸角度で、噛合うことが可能となるものである。
【００７２】  平面上で円は、球面上でも円であり、外周に変形が無いものであるが、前記の平面形状の歯車の設計法を球表面上に置き換えることによる影響を考察する。平面から球面に置き換えることで影響が大きくなるのは、平面に対し球の湾曲が大きくなることであり、軸角度（Ａθ）が大きくなる、すなわち、球（７７）に対し球表面歯車が大きくなることである。軸角度（Ａθ）が９０度を超えた場合は、球表面歯車の回転軸の回転力の伝達側を球表面歯車の対象側に移すことにより、最大角度を９０度として、折り返すことが出来るため、軸角度（Ａθ）が９０度を最大角度とすることができる。
【００７３】  前記平面上の第１の条件において、球表面上でも歯形基準円は接して並んでいて、球表面歯車が同じ歯数であれば相互の歯先の移動スピードも、中心線の垂直方向で同じであり、図１４の波形の、噛合いのバックラッシュの範囲に正しい伝達角度があることに変わりはなく、第１の条件への影響が無いものである。前記平面上の第２の条件および第３の条件において、球表面歯車でも、同心球積層により平面の積層と同一の機能を持たせることが可能であり、第２の条件および第３の条件への影響が無いものである。前記平面上の第４の条件の影響は、球表面上でも歯車基準円と歯形基準円は平面上と同様の構成であり、歯形基準円は接して並んでいるため、噛合い頂点では正しい伝達角度でバックラッシュがゼロであり、また、噛合い頂点からの噛合いの変化に注目した、噛合い基準点の移動は、平面上と球表面上とでは傾向の違いが無いものであり、噛合い重複部の程度に、平面上と球面上との差が発生したとしても、噛合い重複部は削除するものであり、正しい伝達角度での噛合いを構成することには影響がないものである。上記により、平面形状の歯車の設計法を球表面上に置き換えることによる、前記の第１〜４の条件への影響はないものである。
【００７４】  上記段落番号の［００６８］乃至［００７３］が、先に出願の特願２００９−２６７３２である。上記の内容を対し、伝達誤差とバックラッシュがゼロに近い歯車が上記以外の内容で可能であるかどうかを考察するものである。
【００７５】  これより、平面上の定義と球表面上の定義の両方を、平面上の定義で説明するものである。図１、図５１乃至図５３は、３歯の歯車の歯形基準円（４）が、歯車基準円（３）上に中心を位置し、一方の歯車に歯先が一つで、噛合う他方の歯車に歯底が一つの歯車装置を想定する。また、これは図５乃至図１５と同様に、噛合い周期の起点を噛合い位相０度とし、時計回りの逆回転を「＋」の角度とし、時計回り方向を「−」の角度とし、単歯先歯車（８６）が規定の角度とし、単歯底歯車（８７）のバックラッシュを求めるものである。この歯車装置の噛合いは、回転角度の０度を基準に対象の噛合いをするものである。図５１の、単歯先歯車（８６）が、−４６．６度と４６．６度を超えると単歯底歯車（８７）が空転の状態となる。図５３の噛合い周期の起点では、伝達誤差とバックラッシュがゼロになる。この歯車装置の噛合い角度によるバックラッシュの範囲を図５４に示す、単歯底歯車（８７）の空転は全角度がバックラッシュで、単歯底歯車（８７）が空転しない範囲では、バックラッシュの範囲に正しい伝達角度が含まれているものである。そのため、第１の条件を満足するものであり、第３の条件を、ヘリカルギアの噛合い位相幅を歯車の１回転以上とすることで、伝達誤差とバックラッシュがゼロの歯車装置が可能となる。以上の内容から、速度伝達比が１対１以外の歯車装置と、噛合う歯車の相互の回転軸が平行でない歯車装置が可能であることは、上記段落番号の［００１５］乃至［００７３］により導かれる。
【００７６】  さらに、図５５では、３歯の歯車の歯形基準円（４）が、歯車基準円（３）上に中心を位置し、歯形基準円（４）と同一の中心で８０％の径の歯形基準円（９０）の２重の歯形基準円であり、一方の歯車に歯先が一つで、噛合う他方の歯車に歯底が一つの歯車装置を想定し、前記の歯先と歯底の摺接側部の片側を大径の歯形基準円（４）とし、対象の片側を小径の歯形基準円（９０）とする。歯先は、歯形基準円の中心を軸とし、中心線から−４５度と４５度の各歯形基準円の交点の２箇所の摺接点と、各歯形基準円と歯車基準円との２箇所の交点を結ぶ変形台形の形状を持つ突起の、単歯先２重歯形基準円歯車（９１）とする。単歯底２重歯形基準円歯車（９２）は、歯先の頂点で分別する各歯形基準円を形状とする。この同心の２つの歯形基準円で構成された、噛合いを考察する。これは、単歯先２重歯形基準円歯車（９１）と単歯底２重歯形基準円歯車（９２）が、噛合い周期の起点で、大小２つの歯形基準円を中心線で分別し、摺接側部の対象側を別の歯形基準円で構成するものである。これによる、噛合いの状態を図５６乃至図６１に描画する。外側の歯形基準円（４）の噛合いは単歯先２重歯形基準円歯車（９１）が−４２．８１度で、単歯底２重歯形基準円歯車（９２）が、自由回転できる状態となる。内側の歯形基準円（９０）の噛合いは単歯先２重歯形基準円歯車（９１）が３８．３７度で、単歯底２重歯形基準円歯車（９２）が、自由回転できる状態となる。この噛合いの、噛合い角度によるバックラッシュの範囲を図６２に示すものである。この場合も上記段落番号の［００７５］と同様に、単歯底２重歯形基準円歯車（９２）の空転は全角度がバックラッシュで、空転しない範囲では、バックラッシュの範囲に正しい伝達角度が含まれているものである。そのため、第１の条件を満足するものであり、第３の条件を、ヘリカルギアの噛合い位相幅を歯車の１回転以上とすることで、伝達誤差とバックラッシュがゼロの歯車装置が可能となる。以上の内容から、速度伝達比が１対１以外の歯車装置と、噛合う歯車の相互の回転軸が平行でない歯車装置が可能であることは、上記段落番号の［００１５］乃至［００７３］により導かれる。
【００７７】  図５５乃至図６１では、単歯先２重歯形基準円歯車（９１）の歯先を削除の整形をしているが、図６３乃至図７２では、単歯底２重歯形基準円歯車（９２）の歯底を削除の整形をしていているものである。単歯先２重歯形基準円歯車（９１）は各歯形基準円を外形とし、２箇所の摺接点の位置は、図５５と同じである。単歯底２重歯形基準円歯車（９２）の多くの部分において、２箇所の摺接点以外は、単歯先２重歯形基準円歯車（９１）の歯先の面に、接触しない変形となる。図６５のバックラッシュの範囲と正しい伝達角度の差が小さくなっているのは、別の歯形基準円の、小径の歯形基準円（９０）の単歯底２重歯形基準円歯車（９２）の摺接点と、大径の歯形基準円（４）の単歯先２重歯形基準円歯車（９１）の歯先が接しているためである。実施形態では突出させない整形をするものである。図６４乃至図７２の噛合い角度によるバックラッシュの範囲を表した波形が図７３であり。すなわち、バックラッシュの範囲に正しい伝達角度が含まれているものである。そのため、第１の条件を満足するものであり、第３の条件を、ヘリカルギアの噛合い位相幅を歯車の１回転以上とすることで、伝達誤差とバックラッシュがゼロの歯車装置が可能となる。以上の内容から、速度伝達比が１対１以外の歯車装置と、噛合う歯車の相互の回転軸が平行でない歯車装置が可能であることは、上記段落番号の［００１５］乃至［００７３］により導かれる。
【００７８】  ３歯の噛合った歯車装置の歯形基準円（４）の構成は、図２９の、図中の左の歯車基準円（３）に６個の歯形基準円（４）の同じ構成が噛合った形状であり、図中の左の歯形基準円（４）の構成のみで判断できる。  すなわち、３歯の歯車の、噛合い頂点での、噛合い基準点の歯形基準円（４）の中心からの角度は、中心線から６０度であり、図５５乃至図７３及び、上記段落番号の［００１５］乃至［００７７］により導かれる内容により、図２９の様な連続して接した歯形基準円により構成された歯車装置であっても、噛合い基準点以外の歯形基準円上の摺接点であっても、第１の条件を満足するものであり、伝達誤差とバックラッシュがゼロの歯車装置が可能となるものである。
【産業上の利用可能性】
【００７９】  正確な回転の歯車は、多種の装置の精度を上げ、騒音の低下、エネルギー損失の低下、高速回転の優位性があり、産業上の利用価値は高いものである。
【符号の説明】
【００８０】  １  スパイラルベベルギア１  ２  スパイラルベベルギア２  ３  歯車基準円  ４  歯形基準円  ５  歯先平坦部  ６  歯底平坦部  ７  円歯の歯車  ８  円歯の歯車  ９  噛合い接線（ピッチ点）  １０  中心線  １１  歯形基準円の回転移動軌跡（円歯の歯車（７））  １２  歯形基準円の回転移動軌跡（円歯の歯車（８））  １３  歯形基準円の回転移動位置（円歯の歯車（７））  １４  歯形基準円の回転移動位置（円歯の歯車（８））  １５  歯形基準円の歯先の回転移動量  １６  歯形基準円の歯底の回転移動量  １７  歯車基準円の中心からの直線  １８  歯形基準が楕円の回転移動位置  １９  歯形基準が楕円の回転移動位置  ２０  歯形基準が楕円の位相０度の位置  ２１  噛合いの重複部  ２２  従来歯の歯車  ２３  従来歯の歯車  ２４  円歯の「＋」方向のバックラッシュ角度の波形  ２５  円歯の「−」方向のバックラッシュ角度の波形  ２６  従来歯の「＋」方向のバックラッシュ角度の波形  ２７  従来歯の「−」方向のバックラッシュ角度の波形  ２８  従来歯のヘリカルギア  ２９  円歯のヘリカルギア  ３０  円歯の歯先の頂点  ３１  円歯の歯底の頂点  ３２  中心線に近い角度の歯面の接触面  ３３  整形した歯車  ３４  整形した歯車  ３５  整形した歯車（３３）の歯形基準円  ３６  整形した歯車（３４）の歯形基準円  ３７  中心線方向の重複部  ３８  偏差許容の隙間  ３９  ３歯の歯形基準円  ４０  ３０歯の歯形基準円  ４１  ３０歯の歯車基準円  ４２  ３歯の歯形基準円の歯先の移動の軌跡  ４３  ３０歯の歯形基準円の歯先の移動の軌跡  ４４  ３歯の歯車の形状  ４５  ３０歯の歯車の形状の一部  ４６  ３歯と３０歯の歯底の形状の重ね合わせ  ４７  大きい歯車の噛合い頂点の歯形基準円  ４８  小さい歯車の噛合い頂点の歯形基準円  ４９  大きい歯車の移動先の歯形基準円  ５０  小さい歯車の移動先の歯形基準円  ５１  円歯中心線  ５２  噛合い基準点  ５３  噛合い基準点を示す矢印  ５４  ３歯対３０歯のCASE1の噛合いの重複部  ５５  ３歯対３０歯のCASE２の噛合いの重複部  ５６  ３歯対３０歯のCASE３の噛合いの重複部  ５７  条件４の整形がされた３歯の歯車  ５８  条件４の整形がされた３０歯の歯車  ６１  凹部  ６２  凸部  ７１  回転軸１  ７２  回転軸２  ７３  噛合い頂点の歯形基準円の中心を角とする長方形１  ７４  回転移動先の歯形基準円の中心を角とする長方形２  ７５  球の中心  ７６  回転軸線  ７７  球  ７８  球（７７）の内側に積層される同心の球  ７９  球（７８）の内側に積層される同心の球  ８０  球（７９）の内側に積層される同心の球  ８１  球表面歯車  ８２  球表面歯車（８１）の内側に同心球積層される球表面歯車  ８３  球表面歯車（８２）の内側に同心球積層される球表面歯車  ８４  球表面歯車（８３）の内側に同心球積層される球表面歯車  ８５  球の中心まで同心球積層される歯車基準円  ８６  単歯先歯車  ８７  単歯底歯車    ８８  単歯底歯車の「＋」方向のバックラッシュ角度の波形  ８９  単歯底歯車の「−」方向のバックラッシュ角度の波形  ９０  内側２重歯形基準円  ９１  単歯先２重歯形基準円歯車  ９２  単歯底２重歯形基準円歯車  LR  大きい歯車の歯車基準円の半径  SR  小さい歯車の歯車基準円の半径  Lθ  大きい歯車の回転移動角度（噛合い周期の起点からの回���角度）  Sθ  小さい歯車の回転移動角度（噛合い周期の起点からの回転角度）  Aθ  軸角度  Δｘ  ｘ軸方向の変化量  Δｙ  ｙ軸方向の変化量  ｒ    歯形基準円の半径  ｎ    歯形基準円数  Δｒ  歯形基準円の重複量  ΔＰｒ  一方の歯車の噛合い基準点と他方の歯車の歯形基準円との重複量  ｘ0    噛合い頂点で噛合っている歯形基準円のｘ軸方向の中心距離  ｙ0    噛合い頂点で噛合っている歯形基準円のｙ軸方向の中心距離  θｘ  回転移動先で噛合っている歯形基準円のｘ軸方向の中心距離  θｙ  回転移動先で噛合っている歯形基準円のｙ軸方向の中心距離  Ln  大きい歯車の歯形基準円の数  Sn  小さい歯車の歯形基準円の数  Sｘ  回転移動先の小さい歯車の歯形基準円の中心のｘ軸の座標  Sｙ  回転移動先の小さい歯車の歯形基準円の中心のｙ軸の座標  Lｘ  回転移動先の大きい歯車の歯形基準円の中心のｘ軸の座標  Lｙ  回転移動先の大きい歯車の歯形基準円の中心のｙ軸の座標  SPｘ  回転移動先の小さい歯車の噛合い基準点のｘ軸の座標  SPｙ  回転移動先の小さい歯車の噛合い基準点のｙ軸の座標
【図２】
2010216518.tif 000003
【図３】
2010216518.tif 000004
【図４】
2010216518.tif 000005
【図５】
2010216518.tif 000006
【図６】
2010216518.tif 000007
【図７】
2010216518.tif 000008
【図８】
2010216518.tif 000009
【図９】
2010216518.tif 000010
【図１０】
2010216518.tif 000011
【図１１】
2010216518.tif 000012
【図１２】
2010216518.tif 000013
【図１３】
2010216518.tif 000014
【図１４】
2010216518.tif 000015
【図１５】
2010216518.tif 000016
【図１６】
2010216518.tif 000017
【図１７】
2010216518.tif 000018
【図１８】
2010216518.tif 000019
【図１９】
2010216518.tif 000020
【図２０】
2010216518.tif 000021
【図２３】
2010216518.tif 000022
【図２４】
2010216518.tif 000023
【図２５】
2010216518.tif 000024
【図２６】
2010216518.tif 000025
【図２７】
2010216518.tif 000026
【図３０】
2010216518.tif 000027
【図３７】
2010216518.tif 000028
【図３８】
2010216518.tif 000029
【図３９】
2010216518.tif 000030
【図４０】
2010216518.tif 000031
【図４１】
2010216518.tif 000032
【図４２】
2010216518.tif 000033
【図４３】
2010216518.tif 000034
【図４４】
2010216518.tif 000035
【図４５】
2010216518.tif 000036
【図４６】
2010216518.tif 000037
【図４７】
2010216518.tif 000038
【図４８】
2010216518.tif 000039
【図４９】
2010216518.tif 000040
【図５０】
2010216518.tif 000041
【図５１】
2010216518.tif 000042
【図５２】
2010216518.tif 000043
【図５３】
2010216518.tif 000044
【図５４】
2010216518.tif 000045
【図５５】
2010216518.tif 000046
【図５６】
2010216518.tif 000047
【図５７】
2010216518.tif 000048
【図５８】
2010216518.tif 000049
【図５９】
2010216518.tif 000050
【図６０】
2010216518.tif 000051
【図６１】
2010216518.tif 000052
【図６２】
2010216518.tif 000053
【図６３】
2010216518.tif 000054
【図６４】
2010216518.tif 000055
【図６５】
2010216518.tif 000056
【図６６】
2010216518.tif 000057
【図６７】
2010216518.tif 000058
【図６８】
2010216518.tif 000059
【図６９】
2010216518.tif 000060
【図７０】
2010216518.tif 000061
【図７１】
2010216518.tif 000062
【図７２】
2010216518.tif 000063
【図７３】
2010216518.tif 000064
【図１】
2010216518.tif 000065
【図２１】
2010216518.tif 000066
【図２２】
2010216518.tif 000067
【図２８】
2010216518.tif 000068
【図２９】
2010216518.tif 000069
【図３１】
2010216518.tif 000070
【図３２】
2010216518.tif 000071
【図３３】
2010216518.tif 000072
【図３４】
2010216518.tif 000073
【図３５】
2010216518.tif 000074
【図３６】
2010216518.tif 000075